(57)【要約】【課題】対応可能な耕耘深さの範囲が広いロータリ耕耘装置を提供するためのロータリ耕耘装置におけるロータリカバーを提供することを課題としている。【解決手段】耕耘用のロータリ８を覆うロータリカバー１３を、ロータリ８の上方を覆うメインカバー１４と、ロータリ８の後方側を覆うリヤカバー１７とによって構成し、上下回動して耕耘土を均平するリヤカバー１７の回動支点１８を上下及び前後移動及び位置固定可能に設けた。【選択図】　　　　　図１
2004008014.tif 000002
【特許請求の範囲】
【請求項１】
耕耘用のロータリ（８）を覆うロータリカバー（１３）が、前記ロータリ（８）の上方を覆うメインカバー（１４）と、ロータリ（８）の後方側を覆うリヤカバー（１７）とを備え、該リヤカバー（１７）がメインカバー（１４）の後方において、上下回動して耕耘土を均平するものにおいて、リヤカバー（１７）の回動支点（１８）を上下及び前後移動及び位置固定可能に設けたロータリ耕耘装置におけるロータリカバー。
【請求項２】
メインカバー（１４）とリヤカバー（１７）とを、ロータリ（８）の回転軸心（９）を中心とした一体回動が可能となるように、ロータリ耕耘装置の機体（１０）側に取り付け、リヤカバー（１７）の回動支点（１８）をメインカバー（１４）側に前後スライド自在に設けた請求項１のロータリ耕耘装置におけるロータリカバー。
【請求項３】
ロータリ耕耘装置の機体（１０）側にメインカバー（１４）とは別に、リヤカバー（１４）の回動支点を支持する支持機構（１６）を上下揺動自在に設け、該支持機構（１６）における回動支点（１８）の取付部（３３）を前後スライド自在に設けた請求項１のロータリ耕耘装置におけるロータリカバー。
【発明の詳細な説明】
【０００１】
【発明の属する技術分野】
この発明は、ロータリ耕耘装置のロータリを覆うロータリカバーに関する。
【０００２】
【従来の技術と発明が解決しようとする課題】
従来耕耘爪を回転させて圃場の耕耘を行うロータリを使用したロータリ耕耘装置には、ロータリを覆うロータリカバーが設けられている。そして該カバーはロータリの上方を覆うメインカバーと、ロータリ後方の上方側を覆うリヤカバーとを備えており、耕耘作業時にはリヤカバーが回動しながら後方に排出される耕耘土の均平を行う。
【０００３】
なおロータリにより耕耘される耕耘土は、ロータリとメインカバーとの間で前方側に持ち回され、この耕耘土の持ち回り時に土塊が砕土されて砕土性が向上するとともに、圃場の凹凸を持回り土で埋め均すことにより均平性が向上せしめられるように構成されている。
【０００４】
ただし上記耕耘土の持ち回り性は、メインカバーの後端が圃場面により近い方が高くなるが、これに反してメインカバーの後端が圃場面に近づくに従って耕耘土のメインカバーから後方への排出性が低くなる。このため通常は耕耘土の持ち回り性と排出性のバランスが取れる位置にメインカバーの後端を位置させ、このメインカバーの後端位置にリヤカバーの前端を回動自在に軸支してリヤカバーを取り付けている。
【０００５】
このため従来のロータリ耕耘装置は、浅耕時には耕耘土の持ち回りが減少して均平性能が低下し、また深耕時には耕耘土の持ち回り量が増大して持回り土によるトラクタ本体への負荷が増大し、円滑な耕耘作業を行うことができないという欠点があった。また水田における代掻き作業等のような耕耘深さが極浅い浅耕耘作業を行う場合は、リヤカバーの回動支点の高さ位置が高く、リヤカバーの端部が耕耘面に当接せず、すなわち円滑な作業を行うことができる耕耘深さの範囲が小さいという欠点があった。
【０００６】
このため浅耕耘作業時にはリヤカバーの交換や延長を行う必要があり、また耕耘深さが極端に深い超深耕作業は、専用の深耕ロータリを使用する必要があった。これにより特に近年増加する畑作においては、水田に比較してより深い耕耘深さでの耕耘作業が要求されるため、ロータリの交換が必要となり、作業効率が悪化するため、円滑な作業を行うことができる耕耘深さの範囲が広いロータリが望まれていた。
【０００７】
【課題を解決するための手段】
上記課題を解決するための本発明のロータリ耕耘装置におけるロータリカバーは、耕耘用のロータリ８を覆うロータリカバー１３が、前記ロータリ８の上方を覆うメインカバー１４と、ロータリ８の後方側を覆うリヤカバー１７とを備え、該リヤカバー１７がメインカバー１４の後方において、上下回動して耕耘土を均平するものにおいて、リヤカバー１７の回動支点１８を上下及び前後移動及び位置固定可能に設けたことを第１の特徴としている。
【０００８】
またメインカバー１４とリヤカバー１７とを、ロータリ８の回転軸心９を中心とした一体回動が可能となるように、ロータリ耕耘装置の機体１０側に取り付け、リヤカバー１７の回動支点１８をメインカバー１４側に前後スライド自在に設けたことを第２の特徴としている。
【０００９】
そしてロータリ耕耘装置の機体１０側にメインカバー１４とは別に、リヤカバー１４の回動支点を支持する支持機構１６を上下揺動自在に設け、該支持機構１６における回動支点１８の取付部３３を前後スライド自在に設けたことを第３の特徴としている。
【００１０】
【発明の実施の形態】
図１，図２，図３は本発明のロータリ耕耘装置の側面図，平面図及び背面図である。該ロータリ耕耘装置１は、トラクタ５の後方に連結され、トラクタ５の走行に伴い圃場の耕耘作業を行う従来公知のものであり、トラクタ５側よりＰＴＯ動力が入力されるギヤケース２からパイプフレーム３が左右に突設されている。
【００１１】
そして上記パイプフレーム３の一方（左）の外端部にチェーンケース４が、他方（右）の外端部にサイドフレーム６がそれぞれ一体的に取り付けられて、機体フレーム７を構成しており、該機体フレーム７をベースにロータリ耕耘装置１の機体１０が構成されている。
【００１２】
このとき上記チェーンケース４及びサイドフレーム６は、共に下方に延出せしめられており、該サイドフレーム６とチェーンケース４の下部の間に、従来同様、耕耘用のロータリ８の爪軸９が、チェーンケース４及びサイドフレーム６のベアリングケース６ａ，４ａ内に設けられたベアリングを介して回転自在に軸支されている。なお該ロータリ８は、前記爪軸９に、圃場の耕耘作業を行う耕耘爪１１が複数突設された従来公知の構造となっている。
【００１３】
上記構造により、ギヤケース２に入力される駆動力がチェーンケース４を介して爪軸９に入力されて該爪軸９がダウンカット方向に回転駆動され、これによりロータリ８（耕耘爪１１）が爪軸９を軸心として回転駆動され、圃場の耕耘作業を行う。なおギヤケース２の上部には、左右１対のプレート１２ａ，１２ｂからなるトップマスト１２が取付けられており、従来同様該トップマスト１２の前端部が、ロータリ耕耘装置１とトラクタ５との連結点の１つとなっている。
【００１４】
一方ロータリ耕耘装置１の機体フレーム７側には、上記ロータリ８を覆うロータリカバー１３が設けられており、該ロータリカバー１３は、チェーンケース４とサイドフレーム６との間に設けられてロータリ８の上方側を覆うメインカバー１４と、該メインカバー１４の後方に支持機構１６を介して取り付けられてロータリ８の後方側を覆うリヤカバー１７とを備えている。なおリヤカバー１７は支持機構１６側に上下回動自在に軸支されている。
【００１５】
上記メインカバー１４は、側面視で円弧状をなす天板１４ａを母体として、該天板１４ａの左右両側端に側板１４ｂを取り付け、且つ上記天板１４ａの前後に左右方向の補強プレート１４ｃ，１４ｄを取り付けた構造となっている。
【００１６】
そして両側板１４ｂの下端が、チェーンケース４又はサイドフレーム６のベアリングケース４ａ，６ａ側に回動自在に支持されており、これによりメインカバー１４は、側板１４ｂを介して、機体フレーム７側に爪軸９を軸心として回動自在に支持されている。
【００１７】
このときトップマスト１２の両プレート１２ａ，１２ｂの間には、前後揺動自在にリンクアーム２１が軸支されており、上記天板１４ａの後端側に設けられた連結ブラケット１９と、リンクアーム２１とがアーム２２を介して連結されている。
【００１８】
そして上記リンクアーム２１は、図３，図４に示されるように、トップマスト１２のプレート１２ａに形成されたレバーガイド２３から突出する操作レバー２４と一体揺動自在に連結されており、すなわちメインカバー１４の回動角度は、操作レバー２４の揺動角度により設定調節される。なお本実施形態において、上記レバーガイド２３には、操作レバー２４と係合して操作レバー２４の位置（揺動角度）を位置決めする係合部２３ａ，２３ｂ，２３ｃが３つ設けられており、メインカバー１４の揺動角度は３段階に設定調節される。
【００１９】
すなわちメインカバー１４は、操作レバー２４と最前方の係合部２３ａとが係合する操作レバー２４の標準耕耘ポジションＰ１での最前方の回動位置（普通耕耘位置）と、操作レバー２４と最後方の係合部２３ｃとが係合する操作レバー２４の浅耕耘ポジションＰ２により設定される最後方の回動位置（浅耕耘位置）と、係合部２３ａと係合部２３ｃとの間の係合部２３ｂと操作レバー２４とが係合する操作レバー２４の中間耕耘ポジションにより設定される、最前方と最後方の中間の回動位置（中間耕耘位置）の回動位置を取り得る。
【００２０】
このとき操作レバー２４とトップマスト１２側との間にはスプリング２６が張設されており、該スプリング２６により操作レバー２４は係合部２３ａ，２３ｂ，２３ｃ側に付勢されているため、操作レバー２４と係合部２３ａ，２３ｂ，２３ｃとの係合状態においては、スプリング２６の付勢力により操作レバー２４と係合部２３ａ，２３ｂ，２３ｃとの係合状態が保持される。
【００２１】
またメインカバー１４の回動位置調節は、スプリング２６の付勢力に抗して操作レバー２４をいずれかの係合部２３ａ，２３ｂ，２３ｃから外し、所定の係合部２３ａ又は２３ｂ又は２３ｃに弾力的に係合させることにより行われる。
【００２２】
一方天板１４ａの上面の左右両側には、パイプ状のスライドブラケット２７が前後方向に固定されており、該スライドブラケット２７にはスライド杆２８が前後スライド自在に挿入されている。またスライドブラケット２７にはスライド方向に複数の位置決め孔２９が穿設されており、スライド杆２８に穿設されたピン孔３１を貫通せしめて、ピン（例えば図１３に示されるような構造のもの）を位置決め孔２９に挿入することによって、スライドブラケット２７に対するスライド杆２８の位置を調節固定することができる。
【００２３】
そして上記両スライド杆２８の後端には左右方向の横フレーム３２が固定されており、該横フレーム３２の下方側に設けられたブラケット３３に前述のリヤカバー１７の支点軸１８が回動自在に軸支されており、これによりリヤカバー１７がスライド杆２８に支点軸１８を中心として上下回動自在に軸支されている。なおリヤカバー１７は、横フレーム３２とリヤカバー１７の上面との間に設けられたロッド３４によって横フレーム３２側に吊支されている。
【００２４】
このとき本実施形態においてはスライドブラケット２７に前後２つの位置決め孔２９が穿設されており、ピン孔３１と前方側の位置決め孔２９とを合わせてピンを挿入することによってスライド杆２８が最前方側の前方位置Ｘに位置決めされて、ピン孔３１と後方側の位置決め孔２９とを合わせてピンを挿入することによってスライド杆２８が最後方側の後方位置Ｙに位置決めされ、すなわち横フレーム３２は前後２段階に位置決めされる。
【００２５】
以上のようにリヤカバー１７は、スライドブラケット２７，スライド杆２８，横フレーム３３等からなる支持機構１６を介してメインカバー１４側に取り付けられており、操作レバー２４によるメインカバー１４の回動時には、リヤカバー１７はメインカバー１４と一体的に揺動し、メインカバー１４に対して支点軸１８を中心に回動して圃場の均平を行う。
【００２６】
なお支持機構１６は、スライド杆２８のいずれの位置においても、支点軸１８が爪軸９の軸心より後方に位置するように配置されており、これによりリヤカバー１７の支点軸１８は、スライド杆２８のスライド及び位置固定により前後にスライド移動して位置決めされ、メインカバー１４の回動及び回動位置の固定により上下方向に移動して位置決めされる。
【００２７】
すなわちリヤカバー１７の回動支点は上下及び前後に移動して、所定位置において位置決め固定され、この支点軸１８の移動によりメインカバー１４の後端と、リヤカバー１８の前端との位置が可変となり、リヤカバー１７のメインカバー１４に対する高さ及び前後位置が移動調節せしめられる。
【００２８】
そしてロータリ８の後方側のロータリ８とリヤカバー１７との間に形成される空間の広さが上下及び前後方向に変更される。なおリヤカバー１７の前端側とメインカバー１４（天板１４ａ）の後端側との間には、メインカバー１４側に固定されてゴム板３６が設けられており、天板１４ａの下面とリヤカバー１７の下面とを連続的に形成している。
【００２９】
そして本実施形態においては、図１に示されるように、スライド杆２８を前方位置Ｘに、メインカバー１４を普通耕耘位置にそれぞれ位置決めして、支点軸１８を前後方向においてロータリ８側に最近接させ、且つ最上方側に位置させることにより、標準的な耕耘深さでの耕耘作業に適した位置にリヤカバー１７の高さ及び前後位置が設定され、上記標準的な耕耘深さでの耕耘作業に適した広さの空間Ｓ１がロータリ８の後方に形成されるように設定されている。
【００３０】
すなわち支点軸１８を最前方且つ最上方に位置させることにより、リヤカバー１７と位置と、ロータリ８の後方の空間Ｓ１によって、標準的な耕耘深さの耕耘作業（通常耕耘）を円滑に行うことができる。なお上記支点軸１８の位置（最前方且つ最上方）を以降標準位置と称する。そして耕耘深さがやや浅い中間耕耘作業時には、メインカバー１４を中間作業位置に設定して耕耘作業を行うことにより、上記中間耕耘作業を円滑に且つ効率よく行うことができる。
【００３１】
一方図５に示されるように、メインカバー１４を浅耕耘位置に位置決めし、支点軸１８を最下方に位置させることにより、メインカバー１４の後端が圃場側に近づき、且つリヤカバー１７の高さ位置が最も下方に下降する。
【００３２】
これにより水田における代掻き作業等の極浅い耕耘（極浅耕）を行う場合、軟弱な圃場によりロータリ耕耘装置１が前傾するが、上記支点軸１８の設定によって、側面視においてギヤケース２の中心と爪軸９の中心とのなす角βが、図１における同じ位置の角αより大きくなるため、リヤカバー１７の下端が耕耘土の上面と当接し、リヤカバー１７の交換や延長を行うことなく、圃場面の均平作業を円滑に行うことができる。
【００３３】
なおメインカバー１４の後端が圃場面側に近接するため、ロータリ８によって耕耘された耕耘土の前方側への持ち回りが、メインカバー１４によって増大して砕土性が向上する。そしてロータリ８の後方には、支点軸１８の標準位置の際の空間Ｓ１に比較して上方に拡大しない空間Ｓ２が形成され、該空間Ｓ２によって耕耘土は円滑に排出される。ただし圃場状態に応じてリヤカバー１７（支点軸１８）の前後位置を調節してもよい。
【００３４】
また図６に示されるように、メインカバー１４を標準耕耘位置に、スライド杆２８を後方位置Ｙにそれぞれ位置決めし、支点軸１８の位置を最上方且つ最後方に位置決めすることによって、リヤカバー１７の高さ位置が最上方、且つ最後方に位置し、ロータリ８の後方には、支点軸１８の標準位置の際の空間Ｓ１に比較して上方及び後方に拡大した空間Ｓ３が形成される。
【００３５】
このときメインカバー１４は最前方に位置しており、リヤカバーの後端位置は圃場面から最も離間する。これにより耕耘作業時の耕耘土の発生が比較的多い場合でも、メインカバー１４による該耕耘土の前方側への持ち回りが少なくなり、またロータリ８とリヤカバー１７との間の大きな空間Ｓ３によって、上記耕耘土は後方に円滑に排出される。
【００３６】
このため、水田に比較してより深い耕耘深さでの耕耘作業が求められる畑においてもロータリ８やリヤカバー１７の交換等を行うことなく、耕耘作業を円滑に行うことができ、すなわち以上に示すようにリヤカバー１７の支点軸１８の上下及び前後位置調節によって、水田での代掻き作業等の超浅耕耕耘作業から、畑での超深耕耕耘作業までをカバーすることができる。
【００３７】
なお上記実施形態においては、メインカバー１４のポジションが３段階に、支持機構１６によるリヤカバー１７の前後ポジションが２段階に設定されるが、必要に応じて上記メインカバー１４及びリヤカバー１７のポジションを増減させても良い。
【００３８】
次にメインカバーが作業機フレーム側に固定されているタイプの耕耘作業機におけるロータリカバーの一例を説明する。図７，図８は、メインカバー１４が作業機フレーム７側に固定されたロータリ耕耘装置４１の側面図及び平面図であり、前述のロータリ耕耘装置１と同様にトップマスト１２の前端側を連結点の１つとしてトラクタ５に連結されて圃場の耕耘作業を行なう。
【００３９】
本ロータリ耕耘装置４１は、左右の支持機構１６のスライドブラケット２７がメインカバー１４側とは別に、パイプフレーム３側に回動自在に支持されており、スライドブラケット２７の上面に設けられたブラケット４２とリンクアーム２１とがアーム２２によって連結されている。すなわちスライドブラケット２７のパイプフレーム３（作業機フレーム７）に対する回動角度は操作レバー２４の揺動角度によって設定される。
【００４０】
またスライドブラケット２７には、スライド杆２８がスライド自在に挿入されており、上記実施形態同様に、スライドブラケット２７に形成された位置決め孔２９と、スライド杆２８に形成されたピン孔３１と、例えば図１３に示されるような構造のピン（詳細は後述する）とによりスライド杆２８の前後位置の位置調節を行うことができる。なお本実施形態においては、位置決め孔２９は４つ（４組）設けられており、スライド杆２８を前後方向に４段階に位置調節することが可能となっている。
【００４１】
そして前述の実施形態同様に、左右のスライド杆２８の後端部には横フレーム３２が横設されて取り付けられており、該横フレーム３２に設けられたブラケット３３にリヤカバー１７の支点軸１８が設けられている。これにより支点軸１８の高さ方向の位置が操作レバー２４の揺動操作によって、前後方向の位置がスライド杆２８のスライドにより設定調節される。
【００４２】
なお操作レバー２４は前述の実施形態同様に揺動角度を３段階に切り換えることができ、すなわち支点軸１８は、操作レバー２４の最前方揺動位置である標準耕耘ポジションＰ１で最上方に位置する普通耕耘位置に、操作レバー２４の最後方揺動位置である浅耕耘ポジションＰ２で最下方に位置する浅耕耘位置に、操作操作レバー２４の標準耕耘ポジションと浅耕耘ポジションとの中間の中間耕耘ポジションで最上方と最下方の中間の高さの中間耕耘位置の３段階の高さ位置を取り得る。
【００４３】
そして支点軸１８を普通耕耘位置の高さ位置において、スライド杆２８により最前方に位置させることによって、標準的な耕耘深さの通常耕耘を円滑に行うことができるように設定されている。以上に示される構造により、図９に示されるように操作操作レバー２４によって支点軸１８を浅耕耘位置に切り換え、支点軸１８を最下方に位置させることによって、前述の実施形態と同様に水田における代掻き作業等の極浅い耕耘（極浅耕）を円滑に行うことができる。
【００４４】
なお支点軸１８の浅耕耘位置において、スライド杆２８を前後にスライドさせることによって、支点軸１８の前後位置をスライドさせることができ、圃場状態等に応じて、適時支点軸１８の前後位置を調節することにより、より圃場状態に適した耕耘作業を行なうこともできる。
【００４５】
また図１０に示されるように、操作操作レバー２４によって支点軸１８を通常耕耘位置に切り換え、且つスライド杆２８を最後方にスライドさせて、支点軸１８を最上方且つ最後方に位置させることによって、前述の実施形態と同様に、ロータリ８とリヤカバー１７との間に、上方及び後方に広がった比較的大きな空間Ｓ３が形成され、水田に比較してより深い耕耘深さでの耕耘作業が求められる畑等においても耕耘作業を円滑に行うことができる。
【００４６】
このとき横フレーム３２にホルダ４０を左右スライド自在に取り付け、該ホルダ４０を介してサブソイラ４３を取り付けることにより、サブソイラ４３の取り付けスペースを容易に確保でき、サブソイラ４３を左右位置調節自在に容易に取り付けることができる他、リヤカバー１７とロータリ８の間にサブソイラを設けることができ、耕盤破壊作業を円滑に行なうことができる。またホルダ４０にはサブソイラ４３の他、畦立て器等を取り付けても良い。
【００４７】
なお図７〜図１０において、前述の図１〜図６と同一符号は同一構造であり、同一機能については説明を割愛する。
【００４８】
次にメインカバーが作業機フレーム側に固定されているタイプの耕耘作業機におけるロータリカバーの他の実施形態について説明する。図１１，図１２は、メインカバー１４が作業機フレーム７側に固定された他の実施形態のロータリ耕耘装置５１の側面図及び平面図であり、前述のロータリ耕耘装置１又ロータリ耕耘装置４１と同様にトップマスト１２の前端側を連結点の１つとしてトラクタ５に連結されて圃場の耕耘作業を行なう。
【００４９】
本ロータリ耕耘装置５１は、ギヤケース２の左右両側のパイプフレーム３に、ブラケット５２を介してアーム５４が回動自在に支持されており、左右のアーム５４の後端にツールバー５３が取り付けられ、該ツールバー５３が左右方向に横設されている。なお左右のアーム５４は、連結杆５５を介して連結されており、連結杆５５とトップマスト１２とは伸縮ロッド５６を介して連結されている。これによりハンドル５７による伸縮ロッド５６の長さ調節によって、パイプフレーム３（機体フレーム７）に対するツールバー５３の回動角度が調節設定される。
【００５０】
このとき図１３に示されるように、左右のアーム５４にはサポートアーム５８を介して支持機構１６のスライドブラケット２７が取り付けられており、すなわち支持機構１６はメインカバー１４とは別に機体１０側に取り付けられ、スライドブラケット２７がハンドル５７によってツールバー５３とともに上下に揺動する。そして左右のスライドブラケット２７には、前述の両実施形態同様に、スライド杆２８が前後スライド自在に挿入されており、ピン６１によって複数段に位置決めされる。
【００５１】
なお図１３に示されるように、ピン６１は、スライドブラケット２８に設けられたフレーム６３にスライド自在に支持され、且つスライドブラケット２８側にスプリング６２によって付勢されており、ピン６１に一体的に取り付けられた操作アーム６４によって、スプリング６２に抗してピン６１の挿脱を操作することができるように構成されている。
【００５２】
また前述の両実施形態同様に、スライド杆２８の後端には横フレーム３２が固定されているとともに、該横フレーム３２には下方に向かってブラケット３３が設けられ、該ブラケット３３にリヤカバー１７の支点軸１８が支持されている。すなわち支点軸１８はハンドル５７によって高さ位置が、スライド杆２８によって前後位置がそれぞれ調節設定される。
【００５３】
そして図１１に示されるように、支点軸１８を最上方且つ最前方に位置させることによって、標準的な耕耘深さの通常耕耘を円滑に行うことができるように設定されている。以上に示される構造により、図１４に示されるように支点軸１８を最下方に位置させることによって、前述の実施形態と同様に水田における代掻き作業等の極浅い耕耘（極浅耕）を円滑に行うことができる。
【００５４】
なお支点軸１８の最下方位置において、スライド杆２８を前後にスライドさせることによって、支点軸１８の前後位置をスライドさせることができ、圃場状態等に応じて、適時支点軸１８の前後位置を調節することにより、より圃場状態に適した耕耘作業を行なうこともできる。
【００５５】
また図１５に示されるように、支点軸１８を最上方且つ最後方に位置させることによって、前述の実施形態と同様に、ロータリ８とリヤカバー１７との間に、上方及び後方に広がった比較的大きな空間Ｓ３が形成され、水田に比較してより深い耕耘深さでの耕耘作業が求められる畑等においても耕耘作業を円滑に行うことができる。
【００５６】
このとき上記実施形態と同様に、スライド杆２８にサブソイラ４３を取り付けることにより、サブソイラ４３の取り付けスペースをスライド杆２８側に採ることができ、サブソイラ４３を容易に取り付けることができる他、リヤカバー１７とロータリ８の間にサブソイラを設けることができ、耕盤破壊作業を円滑に行なうことができる。
【００５７】
なお図１１〜図１５において、前述の図１〜図１０と同一符号は同一構造であり、同一機能については説明を割愛する。
【００５８】
【発明の効果】
以上のように構成される本発明の構造によると、リヤカバーの回動支点が前後及び上下に移動するため、リヤカバーの高さ位置や前後位置、あるいはロータリの後方側に形成される空間の広さ及び位置を上下及び前後方向に変更することができるという効果がある。
【００５９】
例えばリヤカバーの回動支点がロータリ側に近接し且つ、上方側に位置している場合に、標準的な耕耘深さでの耕耘作業に適したサイズの空間がロータリの後方に形成されるように設定したとすると、リヤカバーの回動支点を下方に移動させ、リヤカバーの高さ位置を下降させることによって、代掻き等の耕耘深さの浅い浅耕作業を行う場合にリヤカバーの下端側を耕耘土面上に当接させることができ、上記浅耕作業をリヤカバー等の交換なしに円滑に行うことができる。
【００６０】
またリヤカバーの回動支点を後方上方に移動させ、上記空間を後方及び上方側に広げることによって、耕耘土の発生が比較的多い場合でも、該耕耘土が後方に円滑に排出されるため、水田に比較してより深い耕耘深さでの耕耘作業が求められる畑においても、ロータリを交換することなく、耕耘作業を円滑に行なうことができる。
【００６１】
すなわちリヤカバーの回動支点を上下及び前後方向に移動させることによって円滑な作業を行うことができる耕耘深さの範囲が拡大し、リヤカバーやロータリの交換等を行うことなく様々な圃場や作業内容に応じることができるという効果がある。
【００６２】
このときロータリカバーが、メインカバーとリヤカバーとが一体的にロータリの回転軸心を中心に回動するタイプのロータリ耕耘装置の場合、リヤカバーの回動支点がロータリカバー（メインカバー及びリヤカバー）の回動により上下移動するため、リヤカバー専用の高さ調節機構を設ける必要が無く、回動支点を前後に移動させる機構を設けるのみでよいため、回動支点の移動機構を簡単に構成することができるという利点がある。
【００６３】
そして浅耕時にはメインカバーとリヤカバーとを一体的に後方に回動させて、リヤカバーの高さ位置を下方に移動させることができるため、この場合はリヤカバーの下方への移動時にメインカバーの後端が圃場面に近づき、持回り土を増加させ、砕土性を向上させることができるという効果がある。また深耕時には逆にメインカバーとリヤカバーとを一体的に前方に回動させることによって、リヤカバーの高さ位置を上方に移動させることができるため、リヤカバーの上方への移動時にメインカバーの後端が圃場面から離反し、耕耘土の排出を促進するという利点がある。
【００６４】
一方メインカバーが固定されたタイプの場合は、リヤカバーを必ずしもメインカバーに取り付ける必要はなく、このためリヤカバーの回動支点を含むリヤカバーの支持機構をメインカバーに対して独立して設けることができ、メインカバー側に取り付けるという条件が外れ、設計の自由度が向上するため、前記支持機構を容易に構成することができる。
【図面の簡単な説明】
【図１】トラクタに連結されたメインカバー回動式のロータリ耕耘装置の要部側面図である。
【図２】メインカバー回動式のロータリ耕耘装置の平面図である。
【図３】メインカバー回動式のロータリ耕耘装置の要部背面図である。
【図４】操作レバー部分の要部側面図である。
【図５】代掻き状態のメインカバー回動式のロータリ耕耘装置の要部側面図である。
【図６】深耕耘状態のメインカバー回動式のロータリ耕耘装置の要部側面図である。
【図７】トラクタに連結されたメインカバー固定式のロータリ耕耘装置の要部側面図である。
【図８】メインカバー固定式のロータリ耕耘装置の要部平面図である。
【図９】代掻き状態のメインカバー固定式のロータリ耕耘装置の要部側面図である。
【図１０】深耕耘状態のメインカバー固定式のロータリ耕耘装置の要部側面図である。
【図１１】トラクタに連結された他の実施形態のメインカバー固定式のロータリ耕耘装置の要部側面図である。
【図１２】他の実施形態のメインカバー固定式のロータリ耕耘装置の要部平面図である。
【図１３】支持機構部分の要部背面断面図である。
【図１４】代掻き状態の他の実施形態のメインカバー固定式のロータリ耕耘装置の要部側面図である。
【図１５】深耕耘状態の他の実施形態のメインカバー固定式のロータリ耕耘装置の要部側面図である。
【符号の説明】
８　　　ロータリ
９　　　ロータリの回転軸心
１０　　ロータリ耕耘装置の機体
１３　　ロータリカバー
１４　　メインカバー
１６　　支持機構
１７　　リヤカバー
１８　　支点軸（リヤカバーの回動支点）
３３　　ブラケット（取付部）
【図１】
2004008014.tif 000003
【図２】
2004008014.tif 000004
【図３】
2004008014.tif 000005
【図４】
2004008014.tif 000006
【図５】
2004008014.tif 000007
【図６】
2004008014.tif 000008
【図７】
2004008014.tif 000009
【図８】
2004008014.tif 000010
【図９】
2004008014.tif 000011
【図１０】
2004008014.tif 000012
【図１１】
2004008014.tif 000013
【図１２】
2004008014.tif 000014
【図１３】
2004008014.tif 000015
【図１４】
2004008014.tif 000016
【図１５】
2004008014.tif 000017